(57)【要約】【課題】容易にかつ短時間でリグが得られ、フッキング率が高く、しかも低コストで製造されうるフックアッセンブリー２２の提供。【解決手段】フックアッセンブリー２２は、シャンク部２４、第一ショートフック２６、第二ショートフック２８、ロングフック３０及び係止フック３２を備えている。ロングフック３０の先端４４は、第一ショートフック２６の先端３６及び第二ショートフック２８の先端４０よりも後方に位置している。後方から見られたとき、第一ショートフック２６はシャンク部２４から左下方に延在しており、第二ショートフック２８はシャンク部２４から右下方に延在しており、ロングフック３０は第一ショートフック２６及び第二ショートフック２８の間に位置している。後方から見られたとき、第一ショートフック２６と第二ショートフック２８とのなす角度は、１５０°以下である。【選択図】図１
2014132880.tif 000002
【特許請求の範囲】
【請求項１】
シャンク部と、このシャンク部から延在する一本又は二本のショートフックと、このシャンク部から延在するロングフックとを備えており、
上記ロングフックの先端が、いずれのショートフックの先端よりも後方に位置するフックアッセンブリー。
【請求項２】
後方から見られたとき、上記シャンク部から上方に延在する係止フックをさらに備えた請求項１に記載のフックアッセンブリー。
【請求項３】
上記シャンク部の先端と、いずれかのショートフックの先端との前後方向距離Ｌ１の、上記シャンク部の先端と上記ロングフックの先端との前後方向距離Ｌ２に対する比率が、５０％以下である請求項１又は２に記載のフックアッセンブリー。
【請求項４】
第一ショートフックと第二ショートフックとを備えており、後方から見られたとき、この第一ショートフックが上記シャンク部から左下方に延在しており、この第二ショートフックが上記シャンク部から右下方に延在しており、上記ロングフックが上記第一ショートフック及び上記第二ショートフックの間に位置している請求項１から３のいずれかに記載のフックアッセンブリー。
【請求項５】
後方から見られたとき、上記第一ショートフックと上記第二ショートフックとのなす角度が１５０°以下である請求項４に記載のフックアッセンブリー。
【請求項６】
一本のショートフックを備えており、後方から見られたとき、上記ロングフックがこのショートフックと重なっている請求項１から３のいずれかに記載のフックアッセンブリー。
【発明の詳細な説明】
【技術分野】
【０００１】
本発明は、釣りに用いられるフックアッセンブリーに関する。詳細には、本発明は、複数のフックを有するアッセンブリーに関する。
【背景技術】
【０００２】
オオクチバス、ブリ及びその幼魚、スズキ、太刀魚、ヒラメ、マゴチ等の大型の魚は、ベイトとして小魚を補食する。これら大型の魚は、フィッシュイーターと称されている。フィッシュイーターを捕獲する手段として、ルアーフィッシングが普及している。ルアーフィッシングでは、小魚等に疑似されたルアーが用いられる。ルアーは、キャストされることにより空中を飛行し、やがて着水する。ラインが巻かれることで、ルアーは水中を泳ぐ。このルアーをベイトと勘違いしたフィッシュイーターは、ルアーに食いつく。ルアーに取り付けられたフックがフィッシュイーターに刺さり、フィッシュイーターが釣り上げられる。
【０００３】
ルアーは、ハードルアーとソフトルアーとに大別される。ソフトルアーは、軟質合成樹脂又はゴムから形成されている。ソフトルアーは、ワームとも称されている。
【０００４】
ソフトルアーが用いられた従来のリグ２が、図１３に示されている。このリグ２は、ジグヘッド４、ソフトルアー６、スプリットリング８、トレブルフック１０、チューブ１２及びアシストフック１４を備えている。ジグヘッド４は、バー１６を有している。このバー１６が、ソフトルアー６の先端の近傍に突き刺さっている。ジグヘッド４には、スプリットリング８を介してトレブルフック１０が取り付けられている。このトレブルフック１０は、第一フック１８、第二フック及び第三フック２０を有している。図１３には、第一フック１８及び第三フック２０が示されている。第二フックは、第一フック１８に隠れている。第三フック２０は、ソフトルアー６に突き刺さっている。この第三フック２０は、チューブ１２を貫通している。このチューブ１２に、アシストフック１４が取り付けられている。
【０００５】
ソフトルアー６の前端近傍に食いついたフィッシュイーターには、トレブルフック１０が突き刺さる。ソフトルアー６の後端近傍に食いついたフィッシュイーターには、アシストフック１４が突き刺さる。トレブルフック１０とアシストフック１４とが併用されることにより、大きなフッキング率が達成される。
【０００６】
ソフトルアーの装着に適したジグヘッドとトレブルフックとの組み合わせが、株式会社シマノ発行の「２０１２シマノフィッシングカタログ」の第３４４頁に記載されている。
【先行技術文献】
【非特許文献】
【０００７】
【非特許文献１】株式会社シマノ発行の「２０１２シマノフィッシングカタログ」
【発明の概要】
【発明が解決しようとする課題】
【０００８】
図１３に示されたリグ２がセットされるには、まず、トレブルフック１０がスプリットリング８を介してジグヘッド４に取り付けられる。次に、アシストフック１４が取り付けられたチューブ１２が、第三フック２０に通される。次に、ソフトルアー６にバー１６が突き刺される。そして、このソフトルアー６に、第三フック２０が突き刺される。
【０００９】
このリグ２のセットには、手間がかかる。釣りの途中に、釣り人がトレブルフック１０又はアシストフック１４を交換したい場合がある。この交換にも、時間を要する。交換のための時間が長い場合、釣り人が時合いを逃すことがある。さらに、このリグ２にはトレブルフック１０とアシストフック１４とが必要なので、コストが高い。
【００１０】
本発明の目的は、容易にかつ短時間でリグが得られ、フッキング率が高く、しかも低コストで製造されうるフックアッセンブリーの提供にある。
【課題を解決するための手段】
【００１１】
本発明に係るフックアッセンブリーは、シャンク部と、このシャンク部から延在する一本又は二本のショートフックと、このシャンク部から延在するロングフックとを備える。ロングフックの先端は、いずれのショートフックの先端よりも後方に位置している。
【００１２】
好ましくは、フックアッセンブリーは、後方から見られたとき、シャンク部から上方に延在する係止フックをさらに備える。
【００１３】
好ましくは、シャンク部の先端と、いずれかのショートフックの先端との前後方向距離Ｌ１の、シャンク部の先端とロングフックの先端との前後方向距離Ｌ２に対する比率は、５０％以下である。
【００１４】
好ましくは、フックアッセンブリーは、第一ショートフックと第二ショートフックとを備える。後方から見られたとき、第一ショートフックは上記シャンク部から左下方に延在しており、第二ショートフックは上記シャンク部から右下方に延在しており、ロングフックは第一ショートフック及び第二ショートフックの間に位置している。
【００１５】
好ましくは、後方から見られたとき、第一ショートフックと第二ショートフックとのなす角度は、１５０°以下である。
【００１６】
フックアッセンブリーが一本のショートフックを備えており、後方から見られたとき、ロングフックがショートフックと重なっていてもよい。
【発明の効果】
【００１７】
本発明に係るフックアッセンブリーが用いられることにより、容易にかつ短時間でリグがセットされうる。このフックアッセンブリーのフッキング率は、高い。このフックアッセンブリーは、低コストで製造されうる。
【図面の簡単な説明】
【００１８】
【図１】図１は、本発明の一実施形態に係るフックアッセンブリーが示された斜視図である。
【図２】図２は、図１のフックアッセンブリーが示された正面図である。
【図３】図３は、図１のフックアッセンブリーが示された右側面図である。
【図４】図４は、図１のフックアッセンブリーが用いられたリグが示された正面図である。
【図５】図５は、本発明の第二の実施形態に係るフックアッセンブリーが示された斜視図である。
【図６】図６は、図５のフックアッセンブリーが示された右側面図である。
【図７】図７は、図５のフックアッセンブリーが用いられたリグが示された正面図である。
【図８】図８は、図５のフックアッセンブリーをソフトルアーに係止する係止具が示された正面図である。
【図９】図９は、本発明の第三の実施形態に係るフックアッセンブリーが示された斜視図である。
【図１０】図１０は、図９のフックアッセンブリーが示された右側面図である。
【図１１】図１１は、本発明の第四の実施形態に係るフックアッセンブリーが示された斜視図である。
【図１２】図１２は、図１１のフックアッセンブリーが示された右側面図である。
【図１３】図１３は、従来のフックが用いられたリグが示された正面図である。
【発明を実施するための形態】
【００１９】
以下、適宜図面が参照されつつ、好ましい実施形態に基づいて本発明が詳細に説明される。
【００２０】
図１−３に示されたフックアッセンブリー２２は、シャンク部２４、第一ショートフック２６、第二ショートフック２８、ロングフック３０及び係止フック３２を備えている。図２では、第二ショートフック２８は、第一ショートフック２６に隠れている。正面視において、第二ショートフック２８の形状及びサイズは、第一ショートフック２６の形状及びサイズと同じである。図２において、矢印Ｘで示されているのはフックアッセンブリー２２の前後方向であり、矢印Ｙで示されているのはフックアッセンブリー２２の上下方向である。図２において、左側がフックアッセンブリー２２の前側であり、上側がフックアッセンブリー２２の上側である。
【００２１】
シャンク部２４は、前後方向に延在している。シャンク部２４は、その前端に、アイ３４を備えている。シャンク部２４は、金属材料からなる。
【００２２】
第一ショートフック２６は、正面視において、シャンク部２４から後方に向かって延在し、湾曲して前方に向かって延在している。第一ショートフック２６の先端３６は、前方を向いている。第一ショートフック２６は、先端３６の近傍にバーブ３８を備えている。第一ショートフック２６がバーブ３８を備えなくてもよい。第一ショートフック２６は、シャンク部２４と一体とされている。第一ショートフック２６の材質は、シャンク部２４の材質と同じである。図３から明らかなように、後方から見られたとき、第一ショートフック２６は、シャンク部２４から左下方に延在している。
【００２３】
第二ショートフック２８は、正面視において、シャンク部２４から後方に向かって延在し、湾曲して前方に向かって延在している。第二ショートフック２８の先端４０は、前方を向いている。第二ショートフック２８は、先端４０の近傍にバーブ４２を備えている。第二ショートフック２８がバーブ４２を備えなくてもよい。第二ショートフック２８は、シャンク部２４と一体とされている。第二ショートフック２８の材質は、シャンク部２４の材質と同じである。図３から明らかなように、後方から見られたとき、第二ショートフック２８は、シャンク部２４から右下方に延在している。
【００２４】
ロングフック３０は、正面視において、シャンク部２４から後方に向かって延在し、湾曲して前方に向かって延在している。ロングフック３０の先端４４は、前方を向いている。ロングフック３０は、先端４４の近傍にバーブ４６を備えている。ロングフック３０がバーブ４６を備えなくてもよい。ロングフック３０は、シャンク部２４と一体とされている。ロングフック３０の材質は、シャンク部２４の材質と同じである。
【００２５】
図３から明らかなように、後方から見られたとき、ロングフック３０は、シャンク部２４から下方に延在している。後方から見られたとき、ロングフック３０は、第一ショートフック２６及び第二ショートフック２８の間に位置している。
【００２６】
図１及び２から明らかなように、ロングフック３０の先端４４は、第一ショートフック２６の先端３６及び第二ショートフック２８の先端４０よりも後方に位置している。
【００２７】
係止フック３２は、正面視において、シャンク部２４から後方に向かって延在し、湾曲して前方に向かって延在している。係止フック３２の先端４８は、前方を向いている。係止フック３２は、先端４８の近傍にバーブ５０を備えている。係止フック３２がバーブ５０を備えなくてもよい。係止フック３２は、シャンク部２４と一体とされている。係止フック３２の材質は、シャンク部２４の材質と同じである。図３から明らかなように、後方から見られたとき、係止フック３２は、シャンク部２４から上方に延在している。
【００２８】
図４は、図１のフックアッセンブリー２２が用いられたリグ５２が示された正面図である。このリグ５２は、ジグヘッド５４、ソフトルアー５６、スプリットリング５８及びフックアッセンブリー２２を備えている。
【００２９】
ジグヘッド５４は、主部６０、ラインアイ６２、フックアイ６４及びバー６６を備えている。主部６０の好ましい材質は、高比重な金属である。典型的な金属は、鉛及び鉛合金である。この主部６０により、リグ５２の質量が高められる。この主部６０により、リグ５２がキャストされたときの大きな飛距離が達成されうる。ラインアイ６２は、主部６０と一体とされている。このラインアイ６２には、直接に、又はスプリットリング等を介して、ラインが結ばれる。フックアイ６４は、主部６０と一体とされている。バー６６は、主部６０と一体とされている。このバー６６には、ソフトルアー５６の先端の近傍が突き刺さっている。
【００３０】
スプリットリング５８は、ジグヘッド５４のフックアイ６４を通されており、かつフックアッセンブリー２２のアイ３４を通されている。フックアッセンブリー２２は、スプリットリング５８を介して、ジグヘッド５４に取り付けられている。係止フック３２は、ソフトルアー５６に突き刺さっている。この突き刺さりにより、フックアッセンブリー２２がソフトルアー５６に係止されている。バー６６及び係止フック３２により、ジグヘッド５４からのソフトルアー５６の脱落が防止される。
【００３１】
リグ５２は、キャストされることにより空中を飛行し、やがて着水する。ラインが巻かれることで、ソフトルアー５６は水中を泳ぐ。このソフトルアー５６をベイトと勘違いしたフィッシュイーターは、このソフトルアー５６に食いつく。ソフトルアー５６の前端近傍に食いついたフィッシュイーターには、第一ショートフック２６又は第二ショートフック２８が突き刺さる。ソフトルアー５６の後端近傍に食いついたフィッシュイーターには、ロングフック３０が突き刺さる。いずれかのフックに掛けられた状態で、フィッシュイーターが釣り上げられる。このフックアッセンブリー２２が用いられたリグ５２では、大きなフッキング率が達成される。
【００３２】
このリグ５２がセットされるには、まず、フックアッセンブリー２２がスプリットリング５８を介してジグヘッド５４に取り付けられる。次に、ソフトルアー５６にバー６６が突き刺される。そして、このソフトルアー５６に、係止フック３２が突き刺される。このリグ５２のセットには、手間がかからない。釣りの途中に、釣り人がフックアッセンブリー２２を交換する場合にも、手間がかからない。釣り人は、時合いを逃すことなく、釣りを行うことができる。さらに、このリグ５２に必要なフックアッセンブリー２２は１つなので、このリグ５２のコストは低い。
【００３３】
図２において、矢印Ｌ１で示されているのはシャンク部２４の先端６８と第一ショートフック２６の先端３６との前後方向距離であり、矢印Ｌ２で示されているのはシャンク部２４の先端６８とロングフック３０の先端４４との前後方向距離である。フッキング率の観点から、距離Ｌ１のＬ２に対する比率は、３０％以上５０％以下が好ましく、３５％以上４０％以下がより好ましい。
【００３４】
図２において、矢印Ｌ３で示されているのはシャンク部２４の先端６８と第一ショートフック２６の後端６７との前後方向距離であり、矢印Ｌ４で示されているのはシャンク部２４の先端６８とロングフック３０の後端６９との前後方向距離である。フッキング率の観点から、距離Ｌ３のＬ４に対する比率は、４０％以上６０％以下が好ましく、４０％以上５０％以下がより好ましい。
【００３５】
フッキング率の観点から、距離Ｌ２とＬ３の差は、５ｍｍ以上が好ましく、１０ｍｍ以上がより好ましい。
【００３６】
図３において矢印θで示されているのは、フックアッセンブリー２２が後方から見られたときの、第一ショートフック２６と第二ショートフック２８とのなす角度である。フッキング率の観点から、角度θは１８０°以下が好ましく、１５０°以下が特に好ましい。フッキング率の観点から、角度θは９０°以上が好ましい。
【００３７】
図５及び６には、本発明の第二の実施形態に係るフックアッセンブリー７０が示されている。図５及び６に示されたフックアッセンブリー７０は、シャンク部７２、第一ショートフック７４、第二ショートフック７６及びロングフック７８を備えている。正面視において、第二ショートフック７６の形状及びサイズは、第一ショートフック７４の形状及びサイズと同じである。
【００３８】
シャンク部７２は、前後方向に延在している。シャンク部７２は、その前端に、アイ８０を備えている。シャンク部７２は、金属材料からなる。
【００３９】
第一ショートフック７４は、正面視において、シャンク部７２から後方に向かって延在し、湾曲して前方に向かって延在している。第一ショートフック７４の先端８２は、前方を向いている。第一ショートフック７４は、先端８２の近傍にバーブ８４を備えている。第一ショートフック７４がバーブ８４を備えなくてもよい。第一ショートフック７４は、シャンク部７２と一体とされている。第一ショートフック７４の材質は、シャンク部７２の材質と同じである。図６から明らかなように、後方から見られたとき、第一ショートフック７４は、シャンク部７２から左下方に延在している。
【００４０】
第二ショートフック７６は、正面視において、シャンク部７２から後方に向かって延在し、湾曲して前方に向かって延在している。第二ショートフック７６の先端８６は、前方を向いている。第二ショートフック７６は、先端８６の近傍にバーブ８８を備えている。第二ショートフック７６がバーブ８８を備えなくてもよい。第二ショートフック７６は、シャンク部７２と一体とされている。第二ショートフック７６の材質は、シャンク部７２の材質と同じである。図６から明らかなように、後方から見られたとき、第二ショートフック７６は、シャンク部７２から右下方に延在している。
【００４１】
ロングフック７８は、正面視において、シャンク部７２から後方に向かって延在し、湾曲して前方に向かって延在している。ロングフック７８の先端９０は、前方を向いている。ロングフック７８は、先端９０の近傍にバーブ９２を備えている。ロングフック７８がバーブ９２を備えなくてもよい。ロングフック７８は、シャンク部７２と一体とされている。ロングフック７８の材質は、シャンク部７２の材質と同じである。
【００４２】
図６から明らかなように、後方から見られたとき、ロングフック７８は、シャンク部７２から下方に延在している。後方から見られたとき、ロングフック７８は、第一ショートフック７４及び第二ショートフック７６の間に位置している。
【００４３】
図５から明らかなように、ロングフック７８の先端９０は、第一ショートフック７４の先端８２及び第二ショートフック７６の先端８６よりも後方に位置している。
【００４４】
図７は、図５のフックアッセンブリー７０が用いられたリグ１００が示された正面図である。このリグ１００は、ジグヘッド１０２、ソフトルアー１０４、スプリットリング１０６、フックアッセンブリー７０及び係止具１０８を備えている。
【００４５】
ジグヘッド１０２は、主部１１０、ラインアイ１１２、フックアイ１１４及びバー１１８を備えている。主部１１０の好ましい材質は、高比重な金属である。典型的な金属は、鉛及び鉛合金である。ラインアイ１１２は、主部１１０と一体とされている。このラインアイ１１２には、直接に、又はスプリットリング等を介して、ラインが結ばれる。フックアイ１１４は、主部１１０と一体とされている。バー１１８は、主部１１０と一体とされている。このバー１１８には、ソフトルアー１０４の先端の近傍が突き刺さっている。
【００４６】
スプリットリング１０６は、ジグヘッド１０２のフックアイ１１４を通されており、かつフックアッセンブリー７０のアイ８０を通されている。フックアッセンブリー７０は、スプリットリング１０６を介して、ジグヘッド１０２に取り付けられている。係止具１０８は、フックアッセンブリー７０に固定されている。係止具１０８は、ソフトルアー１０４に突き刺さっている。フックアッセンブリー７０は、この係止具１０８を介して、ソフトルアー１０４に係止されている。バー１１８及び係止具１０８により、ジグヘッド１０２からのソフトルアー１０４の脱落が防止される。
【００４７】
図８は、係止具１０８の拡大図である。図に示されるように、係止具１０８は、円弧部１２０、右取付部１２２及び左取付部１２４を備えている。円弧部１２０、右取付部１２２及び左取付部１２４は、一体的に成形されている。右取付部１２２は円弧部１２０の開口部分の右端１２６に接続されている。図において、右取付部１２２は、円弧部１２０から上方に向かって延在し、右側下方に折り返されている。左取付部１２４は円弧部１２０の開口部分の左端１２８に接続されている。左取付部１２４は、円弧部１２０から上方に向かって延在し、左側下方に折り返されている。矢印Ｗは、右取付部１２２と左取付部１２４の左右方向の距離である。距離Ｗは、ロングフック７８の外径より小さい。円弧部１２０の内径は、ロングフック７８の外径とほぼ同じ大きさである。
【００４８】
この係止具１０８をフックアッセンブリー７０に固定するのは容易である。釣り人が、ロングフック７８を、右取付部１２２の上端１３０と左取付部１２４の上端１３２との間から下向きに押しつけると、右取付部１２２が右側へと変形し、左取付部１２４が左側へと変形する。右取付部１２２と左取付部１２４の距離Ｗが広がり、ロングフック７８が下方向にスライドしうる。これにより、ロングフック７８が、円弧部１２０に嵌め込まれる。嵌め込み後は、右取付部１２２と左取付部１２４の形状がもとに復元する。嵌め込み後は、係止具１０８はロングフック７８に対してスライドしない。係止具１０８が、フックアッセンブリー７０に固定される。
【００４９】
このフックアッセンブリー７０が用いられたリグ１００では、ソフトルアー１０４の前端近傍に食いついたフィッシュイーターには、第一ショートフック７４又は第二ショートフック７６が突き刺さる。ソフトルアー１０４の後端近傍に食いついたフィッシュイーターには、ロングフック７８が突き刺さる。いずれかのフックに掛けられた状態で、フィッシュイーターが釣り上げられる。このフックアッセンブリー７０が用いられたリグ１００では、大きなフッキング率が達成される。
【００５０】
このリグ１００がセットされるには、まず、係止具１０８がフックアッセンブリー７０に固定される。次に、このフックアッセンブリー７０がスプリットリング１０６を介してジグヘッド１０２に取り付けられる。そして、ソフトルアー１０４にバー１１８が突き刺される。最後に、このソフトルアー１０４に、係止具１０８の右取付部１２２及び左取付部１２４が突き刺される。このリグ１００のセットには、手間がかからない。釣りの途中に、釣り人がフックアッセンブリー７０を交換する場合にも、手間がかからない。釣り人は、時合いを逃すことなく、釣りを行うことができる。さらに、このリグ１００に必要なフックアッセンブリー７０は１つであり、係止具１０８も安価であるので、このリグ１００のコストは低い。
【００５１】
図２と同様に、シャンク部７２の先端と第一ショートフック７４の先端８２との前後方向距離がＬ１で表され、シャンク部７２の先端とロングフック７８の先端９０との前後方向距離がＬ２で表される。フッキング率の観点から、距離Ｌ１のＬ２に対する比率は、３０％以上５０％以下が好ましく、３５％以上４０％以下がより好ましい。
【００５２】
図２と同様に、シャンク部７２の先端と第一ショートフック７４の後端との前後方向距離がＬ３で表され、シャンク部７２の先端とロングフック７８の後端との前後方向距離がＬ４で表される。フッキング率の観点から、距離Ｌ３のＬ４に対する比率は、４０％以上６０％以下が好ましく、４０％以上５０％以下がより好ましい。
【００５３】
フッキング率の観点から、距離Ｌ２とＬ３の差は、５ｍｍ以上が好ましく、１０ｍｍ以上がより好ましい。
【００５４】
図６において矢印θで示されているのは、フックアッセンブリー７０が後方から見られたときの、第一ショートフック７４と第二ショートフック７６とのなす角度である。フッキング率の観点から、角度θは１８０°以下が好ましく、１５０°以下が特に好ましい。フッキング率の観点から、角度θは９０°以上が好ましい。
【００５５】
フックアッセンブリー７０がソフトルアー１０４に係止されるために、係止具１０８を備えなくてもよい。この場合、フックアッセンブリー７０は、ワイヤー等が巻かれることにより、ソフトルアー１０４に固定されうる。
【００５６】
図９及び１０には、本発明の第三の実施形態に係るフックアッセンブリー１４０が示されている。図９及び１０に示されたフックアッセンブリー１４０は、シャンク部１４２、ショートフック１４４、ロングフック１４６及び係止フック１４８を備えている。
【００５７】
シャンク部１４２は、前後方向に延在している。シャンク部１４２は、その前端に、アイ１５０を備えている。シャンク部１４２は、金属材料からなる。
【００５８】
ショートフック１４４は、正面視において、シャンク部１４２から後方に向かって延在し、湾曲して前方に向かって延在している。ショートフック１４４の先端１５２は、前方を向いている。ショートフック１４４は、先端１５２の近傍にバーブ１５４を備えている。ショートフック１４４がバーブを備えなくてもよい。ショートフック１４４は、シャンク部１４２と一体とされている。ショートフック１４４の材質は、シャンク部１４２の材質と同じである。
【００５９】
ロングフック１４６は、正面視において、シャンク部１４２から後方に向かって延在し、湾曲して前方に向かって延在している。ロングフック１４６の先端１５６は、前方を向いている。ロングフック１４６は、先端１５６の近傍にバーブ１５８を備えている。ロングフック１４６がバーブ１５８を備えなくてもよい。ロングフック１４６は、シャンク部１４２と一体とされている。ロングフック１４６の材質は、シャンク部１４２の材質と同じである。
【００６０】
係止フック１４８は、正面視において、シャンク部１４２から後方に向かって延在し、湾曲して前方に向かって延在している。係止フック１４８の先端１６０は、前方を向いている。係止フック１４８は、先端１６０の近傍にバーブ１６２を備えている。係止フック１４８がバーブ１６２を備えなくてもよい。係止フック１４８は、シャンク部１４２と一体とされている。係止フック１４８の材質は、シャンク部１４２の材質と同じである。図１０から明らかなように、後方から見られたとき、係止フック１４８は、シャンク部１４２から上方に延在している。
【００６１】
図１０から明らかなように、後方から見られたとき、ロングフック１４６は、シャンク部１４２から下方に延在している。図１０において、ロングフック１４６は、ショートフック１４４と重なっている。このため、ショートフック１４４は、ロングフック１４６に隠れている。ロングフック１４６とショートフック１４４が重ならなくてもよい。
【００６２】
図９から明らかなように、ロングフック１４６の先端１５６は、ショートフック１４４の先端１５２よりも後方に位置している。
【００６３】
このフックアッセンブリー１４０が用いられたリグでは、ソフトルアーの前端近傍に食いついたフィッシュイーターには、ショートフック１４４が突き刺さる。ソフトルアーの後端近傍に食いついたフィッシュイーターには、ロングフック１４６が突き刺さる。いずれかのフックに掛けられた状態で、フィッシュイーターが釣り上げられる。このフックアッセンブリー１４０が用いられたリグでは、大きなフッキング率が達成される。
【００６４】
このフックアッセンブリー１４０が用いられたリグは、図１のフックアッセンブリー２２が用いられたリグ５２と同じ方法でセットされる。このリグのセットには、手間がかからない。釣りの途中に、釣り人がフックアッセンブリー１４０を交換する場合にも、手間がかからない。釣り人は、時合いを逃すことなく、釣りを行うことができる。さらに、このリグに必要なフックアッセンブリー１４０は１つなので、このリグのコストは低い。
【００６５】
図２と同様に、シャンク部１４２の先端とショートフック１４４の先端１５２との前後方向距離がＬ１で表され、シャンク部１４２の先端とロングフック１４６の先端１５６との前後方向距離がＬ２で表される。フッキング率の観点から、距離Ｌ１のＬ２に対する比率は、３０％以上５０％以下が好ましく、３５％以上４０％以下がより好ましい。
【００６６】
図２と同様に、シャンク部１４２の先端とショートフック１４４の後端との前後方向距離がＬ３で表され、シャンク部１４２の先端とロングフック１４６の後端との前後方向距離がＬ４で表される。フッキング率の観点から、距離Ｌ３のＬ４に対する比率は、４０％以上６０％以下が好ましく、４０％以上５０％以下がより好ましい。
【００６７】
フッキング率の観点から、距離Ｌ２とＬ３の差は、５ｍｍ以上が好ましく、１０ｍｍ以上がより好ましい。
【００６８】
図１１及び１２には、本発明の第四の実施形態に係るフックアッセンブリー１７０が示されている。図１１及び１２に示されたフックアッセンブリー１７０は、シャンク部１７２、ショートフック１７４及びロングフック１７６を備えている。
【００６９】
シャンク部１７２は、前後方向に延在している。シャンク部１７２は、その前端に、アイ１７８を備えている。シャンク部１７２は、金属材料からなる。
【００７０】
ショートフック１７４は、正面視において、シャンク部１７２から後方に向かって延在し、湾曲して前方に向かって延在している。ショートフック１７４の先端１８０は、前方を向いている。ショートフック１７４は、先端１８０の近傍にバーブ１８２を備えている。ショートフック１７４がバーブ１８２を備えなくてもよい。ショートフック１７４は、シャンク部１７２と一体とされている。ショートフック１７４の材質は、シャンク部１７２の材質と同じである。
【００７１】
ロングフック１７６は、正面視において、シャンク部１７２から後方に向かって延在し、湾曲して前方に向かって延在している。ロングフック１７６の先端１８４は、前方を向いている。ロングフック１７６は、先端の近傍にバーブ１８６を備えている。ロングフック１７６がバーブ１８６を備えなくてもよい。ロングフック１７６は、シャンク部１７２と一体とされている。ロングフック１７６の材質は、シャンク部１７２の材質と同じである。
【００７２】
図１２から明らかなように、後方から見られたとき、ロングフック１７６は、シャンク部１７２から下方に延在している。図１２において、ロングフック１７６は、ショートフック１７４と重なっている。このため、ショートフック１７４は、ロングフック１７６に隠れている。ロングフック１７６とショートフック１７４が重ならなくてもよい。
【００７３】
図１１から明らかなように、ロングフック１７６の先端１８４は、ショートフック１７４の先端１８０よりも後方に位置している。
【００７４】
このフックアッセンブリー１７０が用いられたリグでは、ソフトルアーの前端近傍に食いついたフィッシュイーターには、ショートフック１７４が突き刺さる。ソフトルアーの後端近傍に食いついたフィッシュイーターには、ロングフック１７６が突き刺さる。いずれかのフックに掛けられた状態で、フィッシュイーターが釣り上げられる。このフックアッセンブリー１７０が用いられたリグでは、大きなフッキング率が達成される。
【００７５】
このフックアッセンブリー１７０が用られたリグは、図７に示されたリグ１００が有する係止具１０８と同様の係止具を有する。このリグがセットされる方法は、図５のフックアッセンブリー７０を用いたリグ１００のそれと同じである。このリグのセットには、手間がかからない。釣りの途中に、釣り人がフックアッセンブリー１７０を交換する場合にも、手間がかからない。釣り人は、時合いを逃すことなく、釣りを行うことができる。さらに、このリグに必要なフックアッセンブリー１７０は１つであり、係止具も安価であるので、このリグのコストは低い。
【００７６】
図２と同様に、シャンク部１７２の先端とショートフック１７４の先端１８０との前後方向距離がＬ１で表され、シャンク部１７２の先端とロングフック１７６の先端１８４との前後方向距離がＬ２で表される。フッキング率の観点から、距離Ｌ１のＬ２に対する比率は、３０％以上５０％以下が好ましく、３５％以上４０％以下がより好ましい。
【００７７】
図２と同様に、シャンク部１７２の先端とショートフック１７４の後端との前後方向距離がＬ３で表され、シャンク部１７２の先端とロングフック１７６の後端との前後方向距離がＬ４で表される。フッキング率の観点から、距離Ｌ３のＬ４に対する比率は、４０％以上６０％以下が好ましく、４０％以上５０％以下がより好ましい。
【００７８】
フッキング率の観点から、距離Ｌ２とＬ３の差は、５ｍｍ以上が好ましく、１０ｍｍ以上がより好ましい。
【産業上の利用可能性】
【００７９】
本発明に係るルアーは、湖沼、池、ダム、川、海等の種々のフィールドでの釣りに適している。
【符号の説明】
【００８０】
２、５２、１００・・・リグ
４・・・ジグヘッド
６、５６、１０４・・・ソフトルアー
８、５８、１０６・・・スプリットリング
１０・・・トレブルフック
１２・・・チューブ
１４・・・アシストフック
１６、６６、１１８・・・バー
１８・・・第一フック
２０・・・第三フック
２２、７０、１４０、１７０・・・フックアッセンブリー
２４、７２、１４２、１７２・・・シャンク部
２６、７４・・・第一ショートフック
２８、７６・・・第二ショートフック
３０、７８、１４６、１７６・・・ロングフック
３２、１４８・・・係止フック
３４、８０、１５０、１７８・・・アイ
３６、４０、４４、４８、８２、８６、９０、１５２、１５６、１６０、１８０、１８４・・・先端
３８、４２、４６、５０、８４、８８、９２、１５４、１５８、１６２、１８２、１８６・・・バーブ
５４、１０２・・・ジグヘッド
６０、１１０・・・主部
６２、１１２・・・ラインアイ
６４、１１４・・・フックアイ
６７、６９・・・後端
６８・・・先端
１０８・・・係止具
１２０・・・円弧部
１２２・・・右取付部
１２４・・・左取付部
１２６・・・右端
１２８・・・左端
１３０、１３２・・・上端
１４４、１７４・・・ショートフック
【図１】
2014132880.tif 000003
【図２】
2014132880.tif 000004
【図３】
2014132880.tif 000005
【図４】
2014132880.tif 000006
【図５】
2014132880.tif 000007
【図６】
2014132880.tif 000008
【図７】
2014132880.tif 000009
【図８】
2014132880.tif 000010
【図９】
2014132880.tif 000011
【図１０】
2014132880.tif 000012
【図１１】
2014132880.tif 000013
【図１２】
2014132880.tif 000014
【図１３】
2014132880.tif 000015